(57)【特許請求の範囲】
【請求項１】
入力画像の画素に対応する複数の発光素子を有する表示装置における電力レベルの制御方法であって、
ビデオフレームの期間は複数のサブフィールドに分割され、前記サブフィールドの間、それぞれの発光素子は、対応する画素のビデオレベルを表すサブフィールドコードワードに対応する保持パルスで光放出のためにアクチベートされることが可能であり、サブフィールドコーディングについて電力レベルモードのセットが提供され、該電力レベルモードのそれぞれに固有のサブフィールド編成が属し、前記サブフィールド編成は、フレーム期間の間に生成される保持パルスの数に関して可変であり、当該制御方法は、
表示されるべき前記入力画像の特性である平均ビデオ値を決定し、該平均ビデオ値を第一の保持パルスの数に変換するステップと、
前記入力画像のフレーム周波数を測定し、前記入力画像のフレーム周波数を、最多の許容される保持パルスの数と、前記表示装置の所定のフレーム周波数に対する入力フレームの周波数の割合を表す保持ゲインとに変換するステップと、
前記第一の保持パルスの数と前記保持ゲインとを乗算して第二の保持パルスの数を導出するステップと、
前記第二の保持パルスの数及び前記最多の許容される保持パルスの数のうち小さい方を選択し、選択された方の保持パルスの数を選択された電力レベルモードに変換するステップと、
を含む制御方法。
【請求項２】
入力画像の画素に対応する複数の発光素子を有する表示装置における電力レベルの制御装置であって、
ビデオフレームの期間は複数のサブフィールドに分割され、前記サブフィールドの間、それぞれの発光素子は、対応する画素のビデオレベルを表すサブフィールドコードワードに対応する保持パルスで光放出のためにアクチベートされることが可能であり、サブフィールドコーディングについて電力レベルモードのセットが提供され、該電力レベルモードのそれぞれに固有なサブフィールド編成が属し、前記サブフィールド編成は、フレーム期間の間に生成される保持パルスの数に関して可変であり、当該制御装置は、
表示されるべき前記入力画像の電力レベルについての特性である平均ビデオ値を決定する平均画像電力回路と、
前記平均ビデオ値を第一の保持パルスの数に変換する第一の回路と、
前記入力画像のフレーム周波数を測定し、前記入力画像のフレーム周波数を、最多の許容される保持パルスの数と、前記表示装置の所定のフレーム周波数に対する入力フレームの周波数の割合を表す保持ゲインとに変換する周波数測定回路と、
前記第一の保持パルスの数と前記保持ゲインとを乗算して第二の保持パルスの数を導出する第二の回路と、
前記第二の保持パルスの数及び前記最多の許容される保持パルスの数のうち小さい方を選択する第三の回路と、
選択された方の保持パルスの数を選択された電力レベルモードに変換する電力レベル回路と、
を備える制御装置。
【請求項３】
前記第一の回路、前記周波数測定回路及び前記電力レベル回路は、ルックアップテーブルを有する、請求項２記載の制御装置。
【発明の詳細な説明】
【技術分野】
【０００１】
本発明は、表示装置の電力レベル制御の方法及び該方法を実行するための装置に関する。  
より詳細には、本発明は、プラズマディスプレイパネル（ＰＤＰ）のような、光放出のデューティサイクル変調（パルス幅変調）の原理に基づく表示装置の入力フレームの周波数動作レンジを改善するものであり、同時に、画像の明るさ及び品質は、公称の入力フレームの周波数値に近似的に同一に保持される。
【背景技術】
【０００２】
今日、プラズマ技術は、非常に制限された奥行きをもち、視野角の制限なしに、（ＣＲＴの制限から外れて）大型のフラットカラーパネルを達成するのを可能にしている。ＣＲＴ（Ｃａｔｈｏｄｅ  Ｒａｙ  Ｔｕｂｅ）技術のように、ＰＤＰは、それ自身の光を発生する技術である。同様にして、両方の技術は、フルホワイト値よりも高いピークホワイトブライトネスを可能にするパワーマネージメント（又はブライトネス調整）回路を使用している。
【０００３】
ＣＲＴスクリーンは、いわゆるＡＢＬ（Ａｖｅｒａｇｅ  Ｂｅａｍ−ｃｕｒｒｅｎｔ  Ｌｉｍｉｔｅｒ）回路を使用し、この回路は、ビデオコントローラにおけるアナログ手段により実現され、ＲＣステージを通して通常測定される平均ルミナンスの関数としてビデオゲインを減少させる。
【０００４】
プラズマディスプレイパネルは、表示されたピクチャの平均電力レベルの関数として多かれ少なかれ保持パルスを発生する、いわゆるＡＰＬ（Ａｖｅｒａｇｅ  Ｐｏｗｅｒ  Ｌｅｖｅｌ）制御回路を使用する。ＡＰＬ制御は、プラズマディスプレイにおけるより大きなピークホワイトルミナンス値について、多くの保持パルスが必ず必要とされるリフレクションから開始する。他方で、保持パルスは、ＰＤＰの高い電力消費量にも対応する。したがって、ソリューションは、平均のピクチャ電力の関数として多かれ少なかれ保持パルスを発生する制御方法であり、すなわち、異なる電力レベルをもつ異なる電力モードの間でスイッチする。かかるＡＰＬ制御回路は、国際特許出願ＷＯ００／４６７８２で開示されている。比較的低いピクチャパワーを有するピクチャについて、すなわち比較的低いルミナンスの値をもつ多くの画素について、全体の電力消費量が低いルミナンス値をもつ非常に多くの量の画素のために制限されるため、異なるビデオレベルを形成するために多くの保持パルスを使用するモードが使用される。比較的高いピクチャパワーを有するピクチャについて、すなわち比較的高いルミナンス値をもつ多くの画素について、全体の電力消費量が高いルミナンス値をもつ非常に多くの値によって高いため、異なるビデオレベルを形成するために少数の保持パルスを使用するモードが選択される。したがって、電力消費量の良好な管理のために複数の電力レベルモードを定義することができる。
【０００５】
ＡＰＬ制御は、以下のように実現される。はじめに、デガンマ後の入力信号の平均ビデオレベルが計算される。この値は、入力ピクチャを再生するために必要とされる全体のルミナンスパワーの良好な推定値である。第二に、ルックアップテーブルにより、許可されたレンジで電力消費量を保持するために入力ピクチャについて生成することができる全体の数の保持パルスが決定され、対応するサブフィールドの編成が同時に選択される。国際特許出願ＷＯ００／４６７８２で記載されるように、サブフィールドの編成は、１以上の以下の特性に関して変化させることができる。保持パルスの数、サブフィールドの数、サブフィールドのポジショニング。
【０００６】
このソリューションは、所与のフレーム周波数について最適化される。確かに、入力フレーム周波数は、通常は一定であるが、パネルが、トリックモードにおけるビデオカセットレコーダといった標準化されていないビデオソースに接続されている場合に変化する可能性がある。パネルがコンピュータに接続されているときも同じである。同じグラフィックカードについて、周波数は、公称の周波数から著しくはずれる可能性がある。したがって、電源をオーバロードすること、又はパネルピークホワイト及びフルホワイト値を低減するような望まれない作用なしで、フレーム周波数のレンジをトラックすることが困難になる。
【特許文献１】ＷＯ００／４６７８２Ａ（ＤＥＵＴＳＣＨＥ  ＴＨＯＭＳＯＮ−ＢＲＡＮＤＴＧＭＢＨ）
【特許文献２】ＥＰ０８５１４００Ａ（ＮＥＣ  ＣＯＲＰＯＲＡＴＩＯＮ）
【特許文献３】ＥＰ１４３７７０６Ａ（ＴＨＯＭＳＯＭ  ＬＩＣＥＮＳＩＮＧ  Ｓ．Ａ）
【発明の概要】
【発明が解決しようとする課題】
【０００７】
本発明の目的は、表示されるべきピクチャのフレーム周波数を考慮して、電力レベル制御のための新たな方法及び装置を開示することにある。  
本発明によれば、表示されるべきピクチャの平均電力レベル及びフレーム周波数の関数としてサブフィールドの編成が選択される。
【課題を解決するための手段】
【０００８】
本発明によれば、上記目的は、入力ピクチャの画素に対応する複数の発光素子を有する表示装置での電力レベル制御のための方法により解決され、ビデオフレームの期間は複数のサブフィールドに分割され、前記サブフィールドの間、それぞれの発光素子は、対応する画素のビデオレベルを表すサブフィールドコードワードに対応する、以下に保持パルスと呼ばれるスモールパルスで光放出のためにアクチベートすることができ、電力レベルモードのセットは、それぞれの電力レベルモードに対して固有なサブフィールド編成が属する、サブフィールドコーディングについて提供され、前記サブフィールド編成は、フレームの間に保持パルスの数に関して可変であり、当該方法は、表示されるべきピクチャの電力レベルについて固有な電力値を決定するステップ、入力ピクチャのフレーム周波数を測定するステップ、前記電力値及び前記フレーム周波数に基づいて電力レベルモードを選択するステップを含む。
【０００９】
実際に、電力値の関数としてのみ選択される電力レベルモードの保持パルスの数は、入力周波数が公称の周波数よりも高い場合に減少され、入力周波数が通常５０Ｈｚ又は６０Ｈｚである公称の周波数よりも低い場合に増加される。  
ピクチャの電力値は、表示されるべきピクチャの平均の電力値であることが好ましい。
【００１０】
また、本発明は、入力ピクチャの画素に対応する複数の発光素子を有する表示装置での電力レベル制御のための装置に関し、ビデオフレームの期間は複数のサブフィールドに分割され、前記サブフィールドの間、それぞれの発光素子は、対応する画素のビデオレベルを表すサブフィールドコードワードに対応する、以下に保持パルスと呼ばれるスモールパルスで光放出のためにアクチベートすることができ、電力レベルモードのセットは、それぞれの電力レベルモードに対して固有なサブフィールド編成が属する、サブフィールドコーディングについて提供され、前記サブフィールド編成は、フレームの間に保持パルスの数に関して可変である。当該装置は、表示されるべきピクチャの電力レベルについて固有な電力値を決定する平均ピクチャ電力回路、入力ピクチャのフレーム周波数を測定する周波数測定回路、前記電力値及び前記フレーム周波数に基づいて電力レベルモードを選択する電力レベル制御回路を含む。
【００１１】
好適な実施の形態では、電力レベル制御回路は、平均のピクチャ電力を第一の数の保持パルスに変換する第一の回路、入力ピクチャのフレーム周波数を最大の許容される数の保持パルス及び保持ゲインに変換する第二の回路、前記保持ゲインで第一の数の保持パルスを乗算し、第二の数の保持パルスを伝送する第三の回路、前記第二の数の保持パルスと前記最大の許容される数の保持パルスとの間で最少の数の保持パルスを選択する第四の回路、前記最少の数の保持パルスを電力レベルモードに変換する第五の回路を含む。
【００１２】
第一、第二及び第五の回路は、たとえばルックアップテーブルである。  
また、本発明は、この装置を含むプラズマディスプレイ装置に関する。  
本発明の例示的な実施の形態は、図面で例示され、以下の記載で更に詳細に説明される。
【図面の簡単な説明】
【００１３】
【図１】従来技術のプラズマディスプレイパネルの電力レベル制御装置のブロック図である。
【図２】本発明に係るプラズマディスプレイパネルの電力レベル制御装置のブロック図である。
【図３】図２の装置のＡＰＬモードデコーダのブロック図である。
【発明を実施するための形態】
【００１４】
図１は、従来技術のプラズマディスプレイパネルの電力レベル制御装置のブロック図を示す。先に記載されたように、この装置により実現される原理は、所与のピクチャの平均電力を計算し、サブフィールドコーディングのための（サブフィールド編成に対応する）適切な電力レベルモードを選択することである。
【００１５】
図１を参照して、入力ビデオ信号ＲＥＤ［７：０］、ＧＲＥＥＮ［７：０］、ＢＬＵＥ［７：０］は、デガンマ（de-gamma）処理２０の後に平均電力レベル（APL:  Average  Power  Level）計算回路１０に供給される。ＡＰＬ計算回路１０は、ＡＰＬ［９：０］と呼ばれる１０ビットのＡＰＬ信号を出力し、この信号は、入力ピクチャを表示するために必要とされるトータルルミナンスパワーを表す。ピクチャの平均電力値ＡＰＬ［９：０］は、全てのビデオ入力データの画素値を合計し、結果を３で乗算される画素値の数を通して割ることで計算することができる。次いで、信号ＡＰＬ［９：０］は、サブフィールド編成を表す、ＡＰＬ＿ＭＯＤＥ［９：０］と呼ばれる、電力レベルモードに変換するためのＡＰＬモードデコーダ３０により使用される。実際には、ＡＰＬモードデコーダ３０は、シンプルなルックアップテーブルである。異なる電力レベルモードの例がここで与えられる。
【００１６】
モード２０４：２０４保持パルス（フルホワイト）  
モード２０５：２０５保持パルス  
．．．  
モード７００：７００保持パルス  
モード１０００：１０００保持パルス  
明確さの理由のため、この例で与えられる電力レベルモードの保持パルスの数は、モードナンバーに同一である。保持パルスは、ビデオフレームの異なるサブフィールドの間で分散される。この分散は、電力消費について重要性を有さないので記載されない。
【００１７】
入力ビデオ信号ＲＥＤ［７：０］、ＧＲＥＥＮ［７：０］、ＢＬＵＥ［７：０］は、フレーム遅延回路５０及びデガンマ処理６０により遅延された後、ＰＤＰディスプレイエンジン４０に供給される。確かに、入力ビデオ信号は、ＰＤＰディスプレイエンジン４０がリニアガンマ伝達関数（表示される明るさが発生される保持パルスの数に比例する）を有するため、デガンマ処理される必要がある。また、入力ビデオ信号は、デコーダ３０により決定される電力レベルモードＡＰＬ＿ＭＯＤＥ［９：０］がＰＤＰディスプレイエンジン４０に供給されるビデオデータに対応するため、フレーム期間から遅延される必要がある。
【００１８】
したがって、リニアディスプレイエンジン４０は、３つの１６ビットのデガンマ処理された入力ビデオ信号ＲＥＤ［１５：０］、ＧＲＥＥＮ［１５：０］、ＢＬＵＥ［１５：０］、及び発生されるべき保持パルスの数を制御する１０ビットのＡＰＬモード値ＡＰＬ＿ＭＯＤＥ［９：０］を受ける。信号ＡＰＬ＿ＭＯＤＥ［９：０］により選択されたサブフィールド編成は、ビデオ信号ＲＥＤ［１５：０］、ＧＲＥＥＮ［１５：０］、ＢＬＵＥ［１５：０］を符号化するため、ディスプレイエンジン４０により使用され、ディスプレイエンジン４０により出力された信号は、対応する画像を表示するためにＰＤＰドライバ７に供給される。
【００１９】
本発明によれば、公称のピークホワイト及びフルホワイト値からの可能性のあるずれをできるだけ小さく有するようなやり方で、入力フレーム周波数の関数として、電力レベルモードを選択し、同時に、パネルの電力供給のオーバロードが防止されることが提案される。より詳細には、ビデオフレームでの保持パルスの数は、入力フレーム周波数の関数として変更される。入力フレーム周波数が測定される。測定されたフレーム周波数が公称のフレーム周波数（５０又は６０Ｈｚ）よりも低い場合、フレーム当たりの高い数の保持パルスによる電力レベルモードが選択される。測定されたフレーム周波数が公称の周波数よりも高い場合、フレーム当たり低い数の保持パルスによる電力レベルモードが選択される。
【００２０】
図２は、本発明に係るプラズマディスプレイパネルの電力レベル制御装置のブロック図を示す。同じ参照符号は、同一の回路ブロックについて図１及び図２において使用される。図２において、ＡＰＬモードデコーダが変更され、ここでは参照符号３０’である。信号ＡＰＬ［９：０］に加えて、パネルの垂直同期信号である信号Ｖ＿ＰＵＬＳＥを受信する。
【００２１】
図３は、ＡＰＬモードデコーダ３０’のブロック図を示す。提案される回路３０’は、ＡＰＬ値ＡＰＬ［９：０］を、考慮されるＡＰＬ値に適合される電力レベルモードの保持パルスの数に対応する第一の数の保持パルスＳＵＳ＿ＮＢ１［９：０］に変換するための第一のルックアップテーブル３０１を有する。この回路は、信号Ｖ＿ＰＵＬＳＥからの入力フレームの周波数を測定するためのフレーム周波数測定回路３０２を有する。より詳細には、この回路は、入力ビデオ信号の垂直周波数レートを規定する８ビットの符号化デジタル信号ＦＲＥＱＵＥＮＣＹ［７：０］における一連のＶパルスを変換する。かかる測定回路は、古典的であり、ぞれぞれの垂直パルスＶ＿ＰＵＬＳＥでカウンタをリセットし、次いで、（後続する垂直パルスによりカウンタが再びリセットされたとき）端末のカウント値をそれぞれ可能性のある周波数の結果の基準値のセットと比較することを含む。この周波数信号ＦＲＥＱＵＥＮＣＹ［７：０］は、次いで、ルックアップテーブルとすることができる周波数制御回路３０３により２つのサステインナンバー（保持数）制御信号のセットに変換される。
【００２２】
信号ＦＲＥＱ＿ＳＵＳＴ＿ＧＡＩＮ［９：０］：ビデオフレームでの全体の数の保持パルスを減少又は増加するためのサステインゲインファクタである。このファクタは、入力フレーム周波数が公称の周波数（５０又は６０Ｈｚ）よりも低いときに１よりも大きく、入力フレーム周波数が公称の周波数よりも高いときに１よりも小さい。
【００２３】
信号ＦＲＥＱ＿ＳＵＳＴ＿ＨＩＧＨ［９：０］：所与のフレーム周波数について最も高い許容される数の保持パルスを表す。これは、入力フレーム周波数が増加した場合、ビデオフレームにおいて時間がないために重要であり、したがって、ビデオフレームで発生される最大の数の保持パルスが低減される。
【００２４】
保持パルスＳＵＳ＿ＮＢ１［９：０］の数は、乗算回路３０４により、信号ＦＲＥＱ＿ＳＵＳＴ＿ＧＡＩＮ［９：０］により乗算される。第二の数の保持パルスＳＵＳ＿ＮＢ２［９：０］を伝送する。図３の例では、ゲインファクタＦＲＥＱ＿ＳＵＳＴ＿ＧＡＩＮ［９：０］は、ゲインファクタが異なる入力フレームの周波数について十分な精度を有するため、比（入力フレーム周波数）×５１２／（公称のフレーム周波数）に等しい。結果的に、ゲインファクタＦＲＥＱ＿ＳＵＳＴ＿ＧＡＩＮ［９：０］は、乗算回路３０４において５１２で除算される。
【００２５】
次いで、第二の数の保持パルスＳＵＳ＿ＮＢ２［９：０］は、回路３０５により許容される数の保持パルスＦＲＥＱ＿ＳＵＳＴ＿ＨＩＧＨ［９：０］に比較され、回路３０５は、これら２つの値の間で最少の値を選択する。この回路により出力される、ＳＵＳ＿ＮＢ３［９：０］で参照される保持パルスの数は、次いで、保持モードルックアップテーブル３０６により電力レベルモードＡＰＬ＿ＭＯＤＥ［９：０］に変換される。２つのルックアップテーブル３０１，３０６の内容は、それらが直接接続された場合、それらの機能が図１のＡＰＬモードデコーダ３０について使用されるルックアップテーブルに等価である。
【００２６】
回路３０’の機能の原理は、測定されたフレーム周波数ＦＲＥＱＵＥＮＣＹ［７：０］の機能として、適切な電力レベルモードＡＰＬ＿ＭＯＤＥ［９：０］を選択するように、ＬＵＴ３０１により出力された全体の数の保持パルスＳＵＳ＿ＮＢ１［９：０］を変えることである。
【００２７】
信号ＦＲＥＱＵＥＮＣＹ［７：０］、ＦＲＥＱ＿ＳＵＳＴ＿ＧＡＩＮ［９：０］及びＦＲＥＱ＿ＳＵＳＴ＿ＨＩＧＨ［９：０］の例が以下に与えられる。この表では、ビデオフレームがフルホワイトピクチャについて２００の保持パルスを含み、ピークホワイトピクチャについて１０００の保持パルスを含むことを想定している。簡単さのため、６０Ｈｚの公称周波数の周りの入力フレーム周波数の低減された数が示されている。
【００２８】
【表１】
0005744815.tif 000002
この表は例として示されており、幾つかの他の可能性が許容される。入力フレーム周波数が公称の周波数よりも高い場合、全ての公称の保持パルスを発生するための時間が低減されるため（短いフレーム期間）、最大の許容される数の保持パルスＦＲＥＱ＿ＳＵＳＴ＿ＨＩＧＨ［９：０］が低減される必要がある。入力フレーム周波数が公称周波数よりも低い場合、１０００を超える保持パルスを発生する電力レベルモードＡＰＬ＿ＭＯＤＥ［９：０］が定義されていない事実のため、最大の許容される数の保持パルスＦＲＥＱ＿ＳＵＳＴ＿ＨＩＧＨ［９：０］を増加することができない。
【００２９】
表に示されているように、保持パルスＳＵＳ＿ＮＢ１［９：０］の数に与えられるゲインＦＲＥＱ＿ＳＵＳＴ＿ＧＡＩＮ［９：０］は、入力フレーム周波数に反比例し、先に説明されたように、比（入力フレーム周波数）×５１２／（公称のフレーム周波数）に等しい。このように、ピクチャの明るさは、全体の考慮される入力フレーム周波数レンジについて近似的に一定のままである。
【００３０】
この表は、そのＰＤＰ制御回路及びドライバの物理的な制約を考慮して、ＰＤＰ製造業者により慎重に生成される。  
本実施の形態で提供された本発明は、古典的なパワーマネージメント回路の改善である。本発明は、全体の入力フレーム周波数レンジでパワーマネージメントを改善するためのシンプルかつ容易なやり方を提案する。ユーザの利益は、標準的でない入力ビデオ信号を処理するときでさえ、常に生成された画像が存在することである。  
全ての図で示されるブロックは、ハードウェアコンポーネントによるよりはむしろ、適切なコンピュータプログラムで実現することができる。さらに、本発明は、開示される実施の形態に制限されない。
【００３１】
様々な変更が可能であり、請求項の範囲に含まれると考えられ、たとえば、他の値の最大の許容される数の保持パルスＦＲＥＱ＿ＳＵＳＴ＿ＨＩＧＨ［９：０］又はゲインＦＲＥＱ＿ＳＵＳＴ＿ＧＡＩＮ［９：０］を代わりに使用することができ、他の入力フレームの周波数レンジを使用することができる。  
本発明は、グレイレベルバリエーションについて光放出の制御のようなＰＷＭを使用することで制御される全ての種類のディスプレイについて使用することができる。
【符号の説明】
【００３２】
１０：平均電力レベル計算回路
２０，６０：デガンマ処理手段
３０’：ＡＰＬモードデコーダ
４０：ＰＤＰリニアディスプレイエンジン
５０：フレームディレイ
７０：ＰＤＰスクリーン及びドライバ
【図１】
0005744815.tif 000003
【図２】
0005744815.tif 000004
【図３】
0005744815.tif 000005